【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
モータを収容するハウジングと、前記ハウジングに取り付けられて、内側への折り曲げによってフック端部を開放可能なゲート部材を備えたカラビナに係止される電動工具用フックと、を備える電動工具であって、
前記電動工具用フックは、前記ハウジングに取り付けられる基端部と、その基端部に折り返し部を介して連設され、前記基端部の外側に位置する係止部と、を有しており、
前記係止部には、前記フック端部が貫通可能な第１貫通孔が形成されており、
前記折り返し部には、前記フック端部が貫通可能な第２貫通孔が形成されており、
前記ゲート部材を折り曲げて開放させた前記フック端部を前記第１貫通孔及び前記第２貫通孔にそれぞれ貫通させることで、前記係止部を前記カラビナへ係止可能としたことを特徴とする電動工具。
【請求項２】
モータを収容するハウジングと、前記ハウジングに取り付けられて、内側への折り曲げによってフック端部を開放可能なゲート部材を備えたカラビナに係止される電動工具用フックと、を備える電動工具であって、
前記電動工具用フックは、前記ハウジングに取り付けられる基端部と、その基端部に折り返し部を介して連設され、前記基端部の外側に位置する係止部と、を有しており、
前記係止部には、前記フック端部が貫通可能な第１貫通孔と、前記ゲート部材を押し当てて折り曲げ可能な外当て部と、が形成されており、
前記外当て部へ前記ゲート部材を押し当てて開放させた前記フック端部を前記第１貫通孔に貫通させることで、前記係止部を前記フック端部に係止可能としたことを特徴とする電動工具。
【請求項３】
モータを収容する胴体部と、前記胴体部に連設されて該胴体部の下方へ突出するハンドル部と、前記ハンドル部に設けられてバッテリーパックが着脱可能に装着されるバッテリーパック装着部と、前記バッテリーパック装着部に取り付けられて、内側への折り曲げによってフック端部を開放可能なゲート部材を備えたカラビナに係止される電動工具用フックと、を備える電動工具であって、
前記電動工具用フックは、前記バッテリーパック装着部に取り付けられる基端部と、その基端部に折り返し部を介して連設され、前記基端部の外側に位置する係止部と、を有しており、
前記係止部には、前記フック端部が貫通可能な第１貫通孔が形成されており、
前記ゲート部材を前記係止部の外面に押し当てて開放させた前記フック端部を前記第１貫通孔に貫通させることで、前記係止部を前記フック端部に係止可能とする一方、
前記バッテリーパック装着部に装着された前記バッテリーパックに、前記ゲート部材を押し当てて折り曲げた状態で、前記フック端部を前記第１貫通孔から抜き取り可能としたことを特徴とする電動工具。
【請求項４】
前記電動工具用フックは、金属板を折り曲げて、前記基端部と前記折り返し部と前記係止部とが連設されるように形成したことを特徴とする請求項１ないし３のいずれかに記載の電動工具。
【請求項５】
モータを収容する電動工具のハウジングに取り付けられて、内側への折り曲げによってフック端部を開放可能なゲート部材を備えたカラビナに係止される電動工具用フックであって、
前記ハウジングに取り付けられる基端部と、その基端部に折り返し部を介して連設され、前記基端部の外側に位置する係止部と、を有しており、
前記係止部には、前記フック端部が貫通可能な第１貫通孔が形成されており、
前記折り返し部には、前記フック端部が貫通可能な第２貫通孔が形成されており、
前記ゲート部材を折り曲げて開放させた前記フック端部を前記第１貫通孔及び前記第２貫通孔にそれぞれ貫通させることで、前記係止部を前記カラビナへ係止可能としたことを特徴とする電動工具用フック。
【請求項６】
モータを収容する電動工具のハウジングに取り付けられて、内側への折り曲げによってフック端部を開放可能なゲート部材を備えたカラビナに係止される電動工具用フックであって、
前記ハウジングに取り付けられる基端部と、その基端部に折り返し部を介して連設され、前記基端部の外側に位置する係止部と、を有しており、
前記係止部には、前記フック端部が貫通可能な第１貫通孔と、前記ゲート部材を押し当てて折り曲げ可能な外当て部と、が形成されており、
前記外当て部へ前記ゲート部材を押し当てて開放させた前記フック端部を前記第１貫通孔に貫通させることで、前記係止部を前記フック端部に係止可能としたことを特徴とする電動工具用フック。
【請求項７】
モータを収容する胴体部と、前記胴体部と連設されて該胴体部の下方へ突出するハンドル部と、前記ハンドル部に設けられてバッテリーパックが着脱可能に装着されるバッテリーパック装着部と、を備えた電動工具において、前記バッテリーパック装着部に取り付けられて、内側への折り曲げによってフック端部を開放可能なゲート部材を備えたカラビナに係止される電動工具用フックであって、
前記バッテリーパック装着部に取り付けられる基端部と、その基端部に折り返し部を介して連設され、前記基端部の外側に位置する係止部と、を有しており、
前記係止部には、前記フック端部が貫通可能な第１貫通孔が形成されており、
前記ゲート部材を前記係止部の外面に押し当てて開放させた前記フック端部を前記第１貫通孔に貫通させることで、前記係止部を前記フック端部に係止可能とする一方、
前記バッテリーパック装着部に装着された前記バッテリーパックに、前記ゲート部材を押し当てて折り曲げた状態で、前記フック端部を前記第１貫通孔から抜き取り可能としたことを特徴とする電動工具用フック。
【手続補正２】
【補正対象書類名】明細書
【補正対象項目名】発明の名称
【補正方法】変更
【補正の内容】
【発明の名称】電動工具用フック及び電動工具用フックを取り付けた電動工具
【手続補正３】
【補正対象書類名】明細書
【補正対象項目名】０００１
【補正方法】変更
【補正の内容】
【０００１】
この発明は、電動工具のハウジングに取り付けられる基端部と、その基端部に折り返し部を介して連設され、前記基端部の外側に位置する係止部とを含み、内側への折り曲げによってフック端部を開放可能なゲート部材を備えたカラビナに係止される電動工具用フック及び該電動工具用フックを取り付けた電動工具に関する。
【手続補正４】
【補正対象書類名】明細書
【補正対象項目名】０００５
【補正方法】変更
【補正の内容】
【０００５】
この発明は、このような状況に鑑み提案されたものであって、片手で簡単にカラビナへ係止できることに加え、片手で簡単にカラビナから取り外すことができ、使い勝手に優れる電動工具用フック及び該電動工具用フックを取り付けた電動工具を提供することを目的とする。
【手続補正５】
【補正対象書類名】明細書
【補正対象項目名】０００６
【補正方法】変更
【補正の内容】
【０００６】
請求項１の発明に係る電動工具は、モータを収容するハウジングと、前記ハウジングに取り付けられて、内側への折り曲げによってフック端部を開放可能なゲート部材を備えたカラビナに係止される電動工具用フックと、を備える電動工具であって、前記電動工具用フックは、前記ハウジングに取り付けられる基端部と、その基端部に折り返し部を介して連設され、前記基端部の外側に位置する係止部と、を有しており、前記係止部には、前記フック端部が貫通可能な第１貫通孔が形成されており、前記折り返し部には、前記フック端部が貫通可能な第２貫通孔が形成されており、前記ゲート部材を折り曲げて開放させた前記フック端部を前記第１貫通孔及び前記第２貫通孔にそれぞれ貫通させることで、前記係止部を前記カラビナへ係止可能としたことを特徴とする。
【手続補正６】
【補正対象書類名】明細書
【補正対象項目名】０００７
【補正方法】変更
【補正の内容】
【０００７】
請求項２の発明に係る電動工具は、モータを収容するハウジングと、前記ハウジングに取り付けられて、内側への折り曲げによってフック端部を開放可能なゲート部材を備えたカラビナに係止される電動工具用フックと、を備える電動工具であって、前記電動工具用フックは、前記ハウジングに取り付けられる基端部と、その基端部に折り返し部を介して連設され、前記基端部の外側に位置する係止部と、を有しており、前記係止部には、前記フック端部が貫通可能な第１貫通孔と、前記ゲート部材を押し当てて折り曲げ可能な外当て部と、が形成されており、前記外当て部へ前記ゲート部材を押し当てて開放させた前記フック端部を前記第１貫通孔に貫通させることで、前記係止部を前記フック端部に係止可能としたことを特徴とする。
【手続補正７】
【補正対象書類名】明細書
【補正対象項目名】０００８
【補正方法】変更
【補正の内容】
【０００８】
請求項３の発明に係る電動工具は、モータを収容する胴体部と、前記胴体部に連設されて該胴体部の下方へ突出するハンドル部と、前記ハンドル部に設けられてバッテリーパックが着脱可能に装着されるバッテリーパック装着部と、前記バッテリーパック装着部に取り付けられて、内側への折り曲げによってフック端部を開放可能なゲート部材を備えたカラビナに係止される電動工具用フックと、を備える電動工具であって、前記電動工具用フックは、前記バッテリーパック装着部に取り付けられる基端部と、その基端部に折り返し部を介して連設され、前記基端部の外側に位置する係止部と、を有しており、前記係止部には、前記フック端部が貫通可能な第１貫通孔が形成されており、前記ゲート部材を前記係止部の外面に押し当てて開放させた前記フック端部を前記第１貫通孔に貫通させることで、前記係止部を前記フック端部に係止可能とする一方、前記バッテリーパック装着部に装着された前記バッテリーパックに、前記ゲート部材を押し当てて折り曲げた状態で、前記フック端部を前記第１貫通孔から抜き取り可能としたことを特徴とする。
請求項４の発明は、請求項１ないし３のいずれかにおいて、前記電動工具用フックは、金属板を折り曲げて、前記基端部と前記折り返し部と前記係止部とが連設されるように形成したことを特徴とする。
請求項５の発明に係る電動工具用フックは、モータを収容する電動工具のハウジングに取り付けられて、内側への折り曲げによってフック端部を開放可能なゲート部材を備えたカラビナに係止される電動工具用フックであって、前記ハウジングに取り付けられる基端部と、その基端部に折り返し部を介して連設され、前記基端部の外側に位置する係止部と、を有しており、前記係止部には、前記フック端部が貫通可能な第１貫通孔が形成されており、前記折り返し部には、前記フック端部が貫通可能な第２貫通孔が形成されており、前記ゲート部材を折り曲げて開放させた前記フック端部を前記第１貫通孔及び前記第２貫通孔にそれぞれ貫通させることで、前記係止部を前記カラビナへ係止可能としたことを特徴とする。
請求項６の発明に係る電動工具用フックは、モータを収容する電動工具のハウジングに取り付けられて、内側への折り曲げによってフック端部を開放可能なゲート部材を備えたカラビナに係止される電動工具用フックであって、前記ハウジングに取り付けられる基端部と、その基端部に折り返し部を介して連設され、前記基端部の外側に位置する係止部と、を有しており、前記係止部には、前記フック端部が貫通可能な第１貫通孔と、前記ゲート部材を押し当てて折り曲げ可能な外当て部と、が形成されており、前記外当て部へ前記ゲート部材を押し当てて開放させた前記フック端部を前記第１貫通孔に貫通させることで、前記係止部を前記フック端部に係止可能としたことを特徴とする。
請求項７の発明に係る電動工具用フックは、モータを収容する胴体部と、前記胴体部と連設されて該胴体部の下方へ突出するハンドル部と、前記ハンドル部に設けられてバッテリーパックが着脱可能に装着されるバッテリーパック装着部と、を備えた電動工具において、前記バッテリーパック装着部に取り付けられて、内側への折り曲げによってフック端部を開放可能なゲート部材を備えたカラビナに係止される電動工具用フックであって、前記バッテリーパック装着部に取り付けられる基端部と、その基端部に折り返し部を介して連設され、前記基端部の外側に位置する係止部と、を有しており、前記係止部には、前記フック端部が貫通可能な第１貫通孔が形成されており、前記ゲート部材を前記係止部の外面に押し当てて開放させた前記フック端部を前記第１貫通孔に貫通させることで、前記係止部を前記フック端部に係止可能とする一方、前記バッテリーパック装着部に装着された前記バッテリーパックに、前記ゲート部材を押し当てて折り曲げた状態で、前記フック端部を前記第１貫通孔から抜き取り可能としたことを特徴とする。
【手続補正８】
【補正対象書類名】明細書
【補正対象項目名】０００９
【補正方法】変更
【補正の内容】
【０００９】
請求項１ないし３の発明に係る電動工具及び請求項５ないし７の発明に係る電動工具用フックによれば、使い勝手に優れたものになる。